【事件の表示】
　特願２０１２−５０６６０６「マルチチャンネル・スピーカーの駆動」拒絶査定不服審判事件〔平成２２年１０月２８日国際公開、ＷＯ２０１０／１２２４４１、平成２４年１０月１８日国内公表、特表２０１２−５２５０４９〕について、次のとおり審決する。
【結　論】
　本件審判の請求は、成り立たない。
【理　由】
１．手続の経緯
　本願は、平成２２年４月８日（パリ条約による優先権主張　２００９年４月２１日　欧州特許庁（ＥＰ））を国際出願日とする出願であって、手続の概要は以下のとおりである。
　手続補正　　　　　　　　　：平成２３年１０月２４日
　拒絶理由通知　　　　　　　：平成２５年１０月１０日（起案日）
　意見書　　　　　　　　　　：平成２５年１２月２４日
　拒絶査定　　　　　　　　　：平成２６年　６月２５日（起案日）
　拒絶査定不服審判請求　　　：平成２６年　９月２２日
　手続補正　　　　　　　　　：平成２６年　９月２２日
２．本願発明
　本願の請求項１ないし１４に係る発明は、平成２６年９月２２日付け手続補正により補正された特許請求の範囲の請求項１ないし１４に記載された事項により特定されるとおりのものと認められるところ、請求項１に係る発明（以下「本願発明」という。）は、次のとおりのものである。
「　【請求項１】
　オーディオ・ドライバーのための駆動信号を生成する駆動システムであって：
　入力信号から第一の信号および第二の信号を生成するスプリッターであって、前記第一の信号は前記入力信号の第一の周波数区間の信号成分を含み、前記第二の信号は前記入力信号の第二の周波数区間の信号成分を含み、前記第一および第二の周波数区間はクロスオーバー周波数をもち、前記第一の周波数区間は前記第二の周波数区間より低い周波数に対応する、スプリッターと；
　前記スプリッターに結合され、前記第一の信号から第一のオーディオ・ドライバーのための第一の駆動信号を生成するよう構成された第一の駆動回路と；
　前記スプリッターに結合され、前記第二の信号から第二のオーディオ・ドライバーのための第二の駆動信号を生成するよう構成された第二の駆動回路と；
　前記第二のオーディオ・ドライバーについてのドライバー変位指標を決定する手段と；
　前記第二の信号に対して低周波数ブーストを適用することによって前記第二のオーディオ・ドライバーのためのバス周波数拡張を提供する手段であって、前記第二のオーディオ・ドライバーの感度低下を補償するよう前記低周波数ブーストを提供するよう構成される手段と；
　前記ドライバー変位指標に応答して前記クロスオーバー周波数と前記低周波数ブーストの特性との組み合わされた調整を実行する調整手段とを有する、
駆動システム。」
　なお、補正前の請求項９の「前記ブースト手段」は、同項が引用する請求項１の「前記第二の信号に対して低周波数ブーストを適用することによって前記第二のオーディオ・ドライバーのためのバス周波数拡張を提供する手段」を指すものと認められるから、請求項１は、補正前の請求項１を引用する請求項９を独立形式に書き替えたものである。
３．引用例
　原査定の拒絶の理由に引用された特開平８−３３０９３号公報（平成８年２月２日公開、以下「引用例１」という。）には、図面と共に、以下の記載がある。（なお、下線は当審で付与した。）
（１）「【０００１】
【産業上の利用分野】本発明は
マルチウエイスピーカ装置
（２）「【０００８】
【課題を解決するための手段】本発明はこのような問題点に鑑みて、
微少レベルでのリニアリティを改善し、低レベルでの再生時でも豊かな音楽性を楽しめるマルチウエイスピーカ装置
【０００９】このため、
帯域分割のための複数のフィルタ手段と、各フィルタ手段からの出力音声信号が供給される複数のスピーカユニットを有するマルチウエイスピーカ装置において、各フィルタ手段はカットオフ周波数を変化させることができるように構成する。
入力音声信号レベルに応じて各フィルタ手段に対するカットオフ周波数の可変制御信号を出力し、各フィルタ手段によるクロスオーバー周波数を変化させることのできるクロスオーバー周波数制御手段を備えるようにする。
【００１０】また、
クロスオーバー周波数制御手段は、入力音声信号レベルが所定レベルより小さいときに、各フィルタ手段によるクロスオーバー周波数を低域側に変化させるようにする。
（３）「【００１２】
【実施例】以下、本発明について第１〜第３の実施例を説明する。図１は第１の実施例となるマルチウエイスピーカ装置のブロック図である。この場合スピーカ装置はパッシブ型とされ、本発明はスピーカ装置及び前段のパワーアンプ装置に搭載された部位とともに構成される。
【００１３】１はパワーアンプ、２はクロスオーバ周波数制御部であり、これらはパワーアンプ装置に搭載されている。パワーアンプ１は
入力音声信号ＳA 
【００１４】スピーカ装置はパッシブ型のローパスフィルタ３、低域スピーカユニット（ウーハー）４、パッシブ型のハイパスフィルタ５、高域スピーカユニット（ツイーター）６により構成されている。
【００１５】
音声信号ＳA の低域成分はローパスフィルタ３によって抽出され、低域スピーカユニット４に送られて音声として出力される。また音声信号ＳA の高域成分はハイパスフィルタ５によって抽出され、高域スピーカユニット５に送られて音声として出力される。
【００１６】ここで、ローパスフィルタ３は、例えば図３（ａ）のようにコイルＬ1 ，Ｌ2、コンデンサＣ1 ，Ｃ2 、抵抗Ｒ1 、及びリレーＲＹにより構成されている。そしてリレーＲＹの開閉動作によりフィルタ回路へのコンデンサＣ2 の挿入／脱却が行なわれ、これによってカットオフ周波数を可変することができるようにされている。
【００１７】またハイパスフィルタ５は、例えば図３（ｂ）のようにコイルＬ3 、コンデンサＣ3 ，Ｃ4 、抵抗Ｒ2 、及びリレーＲＹにより構成されている。そしてリレーＲＹの開閉動作によりフィルタ回路へのコンデンサＣ4 の挿入／脱却が行なわれ、これによってカットオフ周波数を可変することができるようにされている。
【００１８】そして、クロスオーバ周波数制御部２は、例えば図２のように整流回路２ａ、コンパレータ２ｂ、ホールド回路２ｃで構成される。パワーアンプ１からの出力は整流回路２ａで整流されてコンパレータ２ｂに供給される。コンパレータ２ｂでは整流回路２ａの出力を所定の基準レベルと比較した結果を出力する。その比較結果は、異なる比較結果がでるまでの間、ホールド回路２ｃでホールド出力され、これが制御信号Ｓfcとされる。制御信号Ｓfcはローパスフィルタ３及びハイパスフィルタ５におけるリレーＲＹを制御する信号となる。
【００１９】つまり、ローパスフィルタ３及びハイパスフィルタ５におけるリレーＲＹは、入力音声信号ＳA が或る所定のレベルよりも高いときと低いときで断接状態が切り換えられる。従って、このスピーカ装置では、入力音声信号ＳA が或る所定のレベルよりも高いときと低いときでクロスオーバー周波数が変化することになる。
【００２０】即ち、例えば入力音声信号ＳA が所定レベルよりも高いときには、ローパスフィルタ３及びハイパスフィルタ５のカットオフ周波数が図４に実線で示すように設定されていたとしたときに、入力音声信号ＳA が所定レベルよりも低くなったら、各カットオフ周波数が図４に破線で示すように変化される。つまり、クロスオーバー周波数が、音声信号レベルに応じてｆcrs1とｆcrs2で切り換えられる。
【００２１】このように本実施例では、入力音声信号ＳA が所定レベルより小さいときにクロスオーバー周波数を低域側にシフトさせることで、低レベル再生時でも良好なリニアリティ、分解能を保つことができる。また、クロスオーバー周波数の変化は入力音声信号ＳA の検出に応じたものであるため、この検出動作は容易であり、簡単な構成で実現できるという利点もある。
【００２２】また、切換時にはアタック及びリカバリーのタイミングがとられて、チャタリング的な動作が起こらないようにしている。なお、スピーカ装置内にクロスオーバ周波数制御部２を配置する構成としてもよい。」
　上記摘示事項及び図面の記載から以下のことがいえる。
（ａ）引用例１には、「マルチウエイスピーカ装置」が記載されている（摘示事項（１））。
（ｂ）帯域分割のための複数のフィルタ手段と、各フィルタ手段からの出力音声信号が供給される複数のスピーカユニットを有するマルチウエイスピーカ装置において、各フィルタ手段はカットオフ周波数を変化させることができるように構成されるとともに、入力音声信号レベルに応じて各フィルタ手段に対するカットオフ周波数の可変制御信号を出力し、各フィルタ手段によるクロスオーバー周波数を変化させることのできるクロスオーバー周波数制御手段を備えるようにする。また、クロスオーバー周波数制御手段は、入力音声信号レベルが所定レベルより小さいときに、各フィルタ手段によるクロスオーバー周波数を低域側に変化させるようにする（摘示事項（２））。
（ｃ）入力音声信号ＳA の低域成分はローパスフィルタ３によって抽出され、低域スピーカユニット４に送られて音声として出力される。また入力音声信号ＳA の高域成分はハイパスフィルタ５によって抽出され、高域スピーカユニット５に送られて音声として出力される（摘示事項（３））。
　以上を総合勘案すると、引用例１には、次の発明（以下「引用発明」という。）が記載されているものと認める。
「帯域分割のために入力音声信号の低域成分を抽出するローパスフィルタおよび入力音声信号の高域成分を抽出するハイパスフィルタと、ローパスフィルタからの出力音声信号が供給される低域スピーカユニットおよびハイパスフィルタからの出力音声信号が供給される高域スピーカユニットを有するマルチウエイスピーカ装置において、
　ローパスフィルタおよびハイパスフィルタはカットオフ周波数を変化させることができるように構成されるとともに、
　入力音声信号レベルに応じてローパスフィルタおよびハイパスフィルタに対するカットオフ周波数の可変制御信号を出力し、ローパスフィルタおよびハイパスフィルタによるクロスオーバー周波数を変化させることのできるクロスオーバー周波数制御手段を備え、
　クロスオーバー周波数制御手段は、入力音声信号レベルが所定レベルより小さいときに、ローパスフィルタおよびハイパスフィルタによるクロスオーバー周波数を低域側に変化させるようにするマルチウエイスピーカ装置。」
　同じく、原査定の拒絶の理由に引用された特表２００２−５３０９６５号公報（平成１４年９月１７日公表、以下「引用例２」という。）には、図面と共に、以下の記載がある。（なお、下線は当審で付与した。）
（４）「    【０００１】
  本発明の技術的内容は、可聴信号の処理に係わり、より特定的には、
可聴信号の低音応答を強調すること
（５）「    【０００５】
  本発明は、
既知のシステムよりもはるかに簡単なダイナミック低音制御回路
（６）「    【０００７】
  本発明の基本的な動作原理は、
低レベルな入力信号の状況下ではＱ値を増加し、高レベルな入力信号の状況下ではＱ値を減少するように２次の高域フィルタのＱ値を変化させる
信号レベルが増加すると、
高域フィルタの遮断周波数を増加させる。
　以上より、引用例２には、可聴信号の低音応答を強調することに関して、次の技術事項が記載されているものと認める。
「低レベルな入力信号の状況下ではＱ値を増加し、高レベルな入力信号の状況下ではＱ値を減少するように高域フィルタのＱ値を変化させるとともに、信号レベルが増加すると、高域フィルタの遮断周波数を増加させる。」
４．対比
　そこで、本願発明と引用発明とを対比する。
（１）駆動システム
　引用発明の「マルチウエイスピーカ装置」において、ローパスフィルタからの出力音声信号が低域スピーカユニットに供給され、ハイパスフィルタからの出力音声信号が高域スピーカユニットに供給される。引用発明の「スピーカユニット」は、音声を出力するから、「オーディオ・ドライバー」といえる。
　したがって、引用発明の「マルチウエイスピーカ装置」から低域スピーカユニットおよび高域スピーカユニットを除いた部分に着目すると、本願発明と引用発明とは、「オーディオ・ドライバーのための駆動信号を生成する駆動システム」である点で一致する。
（２）スプリッター
　引用発明の「ローパスフィルタ」は、帯域分割のために入力音声信号の低域成分を抽出し、「ハイパスフィルタ」は、入力音声信号の高域成分を抽出する。「ローパスフィルタ」および「ハイパスフィルタ」は、クロスオーバー周波数をもつ。
　したがって、本願発明と引用発明とは、「入力信号から第一の信号および第二の信号を生成するスプリッターであって、前記第一の信号は前記入力信号の第一の周波数区間の信号成分を含み、前記第二の信号は前記入力信号の第二の周波数区間の信号成分を含み、前記第一および第二の周波数区間はクロスオーバー周波数をもち、前記第一の周波数区間は前記第二の周波数区間より低い周波数に対応する、スプリッター」を有する点で一致する。
（３）第一の駆動回路、第二の駆動回路
　引用発明の「ローパスフィルタ」からの出力音声信号は、低域スピーカユニットに供給され、「ハイパスフィルタ」からの出力音声信号は、高域スピーカユニットに供給される。
　したがって、本願発明と引用発明とは、「前記スプリッターに結合され、前記第一の信号から第一のオーディオ・ドライバーのための第一の駆動信号を生成するよう構成された第一の駆動回路」と「前記スプリッターに結合され、前記第二の信号から第二のオーディオ・ドライバーのための第二の駆動信号を生成するよう構成された第二の駆動回路」とを有する点で一致する。
（４）ドライバー変位指標を決定する手段
　本願発明は、「前記第二のオーディオ・ドライバーについてのドライバー変位指標を決定する手段」を有するのに対し、引用発明は、「入力音声信号レベルに応じて」制御する点で相違する。
（５）バス周波数拡張を提供する手段
　本願発明は、「前記第二の信号に対して低周波数ブーストを適用することによって前記第二のオーディオ・ドライバーのためのバス周波数拡張を提供する手段であって、前記第二のオーディオ・ドライバーの感度低下を補償するよう前記低周波数ブーストを提供するよう構成される手段」を有するのに対し、引用発明は、「バス周波数拡張を提供する手段」を有しない点で相違する。
（６）調整手段
　引用発明の「クロスオーバー周波数制御手段」は、入力音声信号レベルに応じてローパスフィルタおよびハイパスフィルタに対するカットオフ周波数の可変制御信号を出力し、ローパスフィルタおよびハイパスフィルタによるクロスオーバー周波数を変化させることができる。
　したがって、本願発明と引用発明とは、「前記クロスオーバー周波数の調整を実行する調整手段」を有する点で一致する。
　もっとも、本願発明は、「前記ドライバー変位指標に応答して調整を実行する」のに対し、引用発明は、「入力音声信号レベルに応じて」制御する点、および、本願発明は、「前記クロスオーバー周波数と前記低周波数ブーストの特性との組み合わされた調整を実行する」のに対し、引用発明は、「クロスオーバー周波数を変化させる」点で相違する。
　そうすると、本願発明と引用発明とは、次の点で一致する。
＜一致点＞
「オーディオ・ドライバーのための駆動信号を生成する駆動システムであって：
　入力信号から第一の信号および第二の信号を生成するスプリッターであって、前記第一の信号は前記入力信号の第一の周波数区間の信号成分を含み、前記第二の信号は前記入力信号の第二の周波数区間の信号成分を含み、前記第一および第二の周波数区間はクロスオーバー周波数をもち、前記第一の周波数区間は前記第二の周波数区間より低い周波数に対応する、スプリッターと；
　前記スプリッターに結合され、前記第一の信号から第一のオーディオ・ドライバーのための第一の駆動信号を生成するよう構成された第一の駆動回路と；
　前記スプリッターに結合され、前記第二の信号から第二のオーディオ・ドライバーのための第二の駆動信号を生成するよう構成された第二の駆動回路と；
　前記クロスオーバー周波数の調整を実行する調整手段とを有する、
駆動システム。」の点。
　そして、次の点で相違する。
＜相違点＞
（１）本願発明は、「前記第二のオーディオ・ドライバーについてのドライバー変位指標を決定する手段」を有し、「前記ドライバー変位指標に応答して調整を実行する」のに対し、引用発明は、「入力音声信号レベルに応じて」制御する点。
（２）本願発明は、「前記第二の信号に対して低周波数ブーストを適用することによって前記第二のオーディオ・ドライバーのためのバス周波数拡張を提供する手段であって、前記第二のオーディオ・ドライバーの感度低下を補償するよう前記低周波数ブーストを提供するよう構成される手段」を有し、「前記クロスオーバー周波数と前記低周波数ブーストの特性との組み合わされた調整を実行する」のに対し、引用発明は、「バス周波数拡張を提供する手段」を有さず、「クロスオーバー周波数を変化させる」点。
５．判断
　そこで、上記相違点について検討する。
相違点（１）について
　引用発明の「高域スピーカユニット」の振動板の変位は、「入力音声信号レベル」に依存し、引用発明は、「入力音声信号レベルに応じて」制御する。
　したがって、引用発明は、実質的には、「前記第二のオーディオ・ドライバーについてのドライバー変位指標を決定する手段」を有し、「前記ドライバー変位指標に応答して調整を実行する」から、相違点（１）は、実質的に相違するものではない。
相違点（２）について
　高域スピーカユニットは、一般に、低音の応答が不足するから、引用発明において、高音スピーカユニットの低音の応答を強調するために、引用例２に記載された技術事項を適用し、クロスオーバー周波数と低周波数ブーストの特性との組み合わされた調整を実行するようにすることは、当業者が容易に想到し得る。
　また、スピーカの周波数特性を補うように、低音の応答を強調することは周知である（例えば、特開昭６０−１９３９７号公報の２頁左上欄４〜１２行、特開昭５８−６３２８９号公報の２頁右下欄１０〜１８行、実願昭５１−１１５６１１号（実開昭５３−３２７２４号）のマイクロフィルムの明細書２頁１０〜２０行参照）から、引用発明に、引用例２に記載された上記技術事項を適用するに際して、高域スピーカユニットの周波数特性を補うように、低音の応答を強調するようにすることも、当業者が容易に想到し得る。
　効果についてみても、上記構成の変更に伴って当然に予測される程度のことに過ぎず、格別顕著なものがあるとは認められない。
６．むすび
　以上のとおり、本願の請求項１に係る発明は、引用例１に記載された発明、引用例２に記載された技術事項および周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。